(57)【要約】【課題】被験者に対する処置における安全性を確保しつつ、医療機器に対する無線給電を行うことが可能な医療用無線給電システムを提供する。【解決手段】本発明の医療用無線給電システムは、送電用コイルと、送電用コイルを具備し、所定の共振周波数で共振可能な送電コイルユニットと、被検体の処置に用いられる医療機器と、医療機器の内部に設けられた受電用コイルと、受電用コイルを具備し、所定の共振周波数で共振可能な受電コイルユニットと、交流電力を出力可能な電源装置と、所定の出力レベル及び所定の周波数を具備する交流電力を電源装置から出力させるような制御を行い、さらに、交流電力の出力に伴って発生する反射の大きさ、または、交流電力が受電された際の電力の大きさのいずれかを検出した結果に基づき、磁界に反応する物体が送電用コイルの近傍に存在するか否かを推定可能な制御部と、を有する。【選択図】図５
2014007898.tif 000002
【特許請求の範囲】
【請求項１】
被験体の近傍に配置できるように構成された１以上の送電用コイルと、
少なくとも１つの前記送電用コイルを具備し、所定の共振周波数で共振できるように構成された送電コイルユニットと、
前記被検体の処置に用いられる医療機器と、
前記医療機器の内部において、少なくとも一部が非導電性の部材に覆われた状態で設けられた受電用コイルと、
前記受電用コイルを具備し、前記所定の共振周波数に一致する共振周波数で共振できるように構成された受電コイルユニットと、
任意の出力レベル及び周波数を具備する交流電力を前記送電コイルユニットへ出力できるように構成された電源装置と、
所定の出力レベル及び所定の周波数を具備する交流電力を前記電源装置から前記送電コイルユニットへ出力させるような制御を行い、さらに、前記所定の出力レベル及び前記所定の周波数を具備する交流電力の出力に伴って発生する反射の大きさ、または、前記所定の出力レベル及び前記所定の周波数を具備する交流電力が前記受電コイルユニットにおいて受電された際の電力の大きさのいずれかを検出した結果に基づき、磁界に反応する物体が前記送電用コイルの近傍に存在するか否かを推定できるように構成された制御部と、
を有することを特徴とする医療用無線給電システム。
【請求項２】
前記所定の出力レベルは、前記医療機器の駆動に要する電力に比べて小さい出力レベルであり、
前記所定の周波数は、前記所定の共振周波数に一致する周波数である
ことを特徴とする請求項１に記載の医療用無線給電システム。
【請求項３】
前記所定の出力レベルは、前記医療機器の駆動に要する電力に比べて小さい出力レベルであり、
前記所定の周波数は、前記所定の共振周波数とは異なる周波数である
ことを特徴とする請求項１に記載の医療用無線給電システム。
【請求項４】
前記制御部は、前記送電用コイルが前記被検体の近傍に配置された後から前記医療機器が前記送電用コイルの近傍に配置される前までの期間内において、前記所定の出力レベル及び前記所定の周波数を具備する交流電力の出力に伴って発生する反射の大きさを検出した結果に基づいて前記物体の存在の有無を検出し、さらに、当該検出した結果を報知可能な情報を表示部に表示させるための制御を行う
ことを特徴とする請求項２に記載の医療用無線給電システム。
【請求項５】
前記制御部は、前記電源装置から前記送電コイルユニットへの前記医療機器の駆動に要する電力の供給が実施されている際に、前記所定の出力レベル及び前記所定の周波数を具備する交流電力の出力に伴って発生する反射の大きさに基づき、前記医療機器とは異なる前記物体が前記送電用コイルの近傍に存在するか否かを推定できるように構成されている
ことを特徴とする請求項３に記載の医療用無線給電システム。
【請求項６】
前記制御部は、前記医療機器とは異なる前記物体が前記送電用コイルの近傍に存在すると推定した場合に、前記電源装置から前記送電コイルユニットへの前記医療機器の駆動に要する電力の供給を停止するための制御を行うように構成されている
ことを特徴とする請求項５に記載の医療用無線給電システム。
【請求項７】
前記制御部は、前記所定の出力レベル及び前記所定の周波数を具備する交流電力の出力に伴って発生する反射の大きさに基づき、前記医療機器が前記送電用コイルの近傍に配置されているか否かを推定できるように構成されている
ことを特徴とする請求項２に記載の医療用無線給電システム。
【請求項８】
前記制御部は、前記医療機器が前記送電用コイルの近傍に配置されていると推定した場合に、前記電源装置から前記送電コイルユニットへの前記医療機器の駆動に要する電力の供給を実施する
ことを特徴とする請求項７に記載の医療用無線給電システム。
【請求項９】
前記電源装置から前記送電コイルユニットへ供給される交流電力の周波数を含む所定の帯域の信号成分を遮断可能なフィルタを具備し、前記被検体の生体情報を取得することができるように構成されているとともに、前記生体情報を取得している最中に前記フィルタを動作させることができるように構成された生体情報取得装置をさらに有する  
ことを特徴とする請求項１に記載の医療用無線給電システム。
【請求項１０】
前記生体情報取得装置の表面には、前記制御部を具備する前記電源装置との併用が可能な旨を示す文字列及び記号の少なくとも一方を含む識別情報部が設けられている
ことを特徴とする請求項９に記載の医療用無線給電システム。
【請求項１１】
前記被検体の生体情報を取得することができるように構成された生体情報取得装置をさらに有し、
前記制御部は、前記生体情報取得装置により前記生体情報が取得されている最中において、前記電源装置から前記送電コイルユニットへの交流電力の供給を停止させるための制御、または、前記電源装置から前記送電コイルユニットへ供給される交流電力の出力レベルを低下させるための制御のいずれかを行うように構成されている
ことを特徴とする請求項１に記載の医療用無線給電システム。
【請求項１２】
複数の前記送電用コイルと、
前記複数のうちのいずれか１つの前記送電用コイルをそれぞれ具備するとともに、相互に異なる共振周波数で共振するようにそれぞれ構成された複数の前記送電コイルユニットと、を有し、
前記制御部は、前記所定の出力レベルを具備する交流電力を、複数の前記送電コイルユニットの共振周波数に一致する各周波数に切り替えつつ前記電源装置から順次出力させるための制御を行い、さらに、前記各周波数の交流電力の出力に伴って発生する反射の大きさに基づき、前記医療機器の駆動に要する電力の供給を最も反射の小さい周波数で行わせるための制御を行う
ことを特徴とする請求項１に記載の医療用無線給電システム。
【請求項１３】
前記送電コイルユニットは、１つの前記送電用コイルと、相互に異なる容量を具備する複数の送電用コンデンサと、を具備するとともに、１つの前記送電用コイルに直列または並列接続される送電用コンデンサを前記複数の送電用コンデンサのうちの１つに切り替えることができるように構成されており、
前記制御部は、前記所定の出力レベルを具備する交流電力を、１つの前記送電用コイルに接続される送電用コンデンサの切り替えに応じて変化する共振周波数に一致する各周波数に切り替えつつ前記電源装置から順次出力させるための制御を行い、さらに、前記各周波数の交流電力の出力に伴って発生する反射の大きさに基づき、前記医療機器の駆動に要する電力の供給を最も反射の小さい周波数で行わせるための制御を行う
ことを特徴とする請求項１に記載の医療用無線給電システム。
【発明の詳細な説明】
【技術分野】
【０００１】
本発明は、医療用無線給電システムに関し、特に、医療機器に対して無線で給電を行う医療用無線給電システムに関するものである。
【背景技術】
【０００２】
医療分野で用いられる種々の器具及び装置において、電磁誘導現象を利用して電力の供給を行うための構成を具備するものが近年提案されている。
【０００３】
具体的には、例えば特許文献１には、トロッカー内に設けられた送電用コイルと、外科手術用器具内に設けられた受電用コイルと、の間において電磁誘導を発生させることにより、当該トロッカーに挿入された当該外科手術用器具に対して電気外科手術エネルギーを供給するような構成が開示されている。
【発明の概要】
【発明が解決しようとする課題】
【０００４】
ここで、特許文献１に開示された構成によれば、電磁誘導現象を利用して電力の供給を行っているため、例えば、金属製のメスまたはペースメーカー等の磁界に反応する物体が送電用コイル及び（または）受電用コイルの周辺に存在するか否かに応じ、電力の伝送効率が容易に変動し得る、という問題点がある。しかし、特許文献１には、前述の問題点を解消可能な手法等について特に言及されていない。そのため、特許文献１に開示された構成によれば、例えば、外科手術用器具への電気外科手術エネルギーの供給が予期せず低下するような、被験者に対する処置における安全性に欠ける状況が発生してしまう、という課題が生じている。
【０００５】
本発明は、前述した事情に鑑みてなされたものであり、被験者に対する処置における安全性を確保しつつ、医療機器に対する無線給電を行うことが可能な医療用無線給電システムを提供することを目的としている。
【課題を解決するための手段】
【０００６】
本発明の一態様の医療用無線給電システムは、被験体の近傍に配置できるように構成された１以上の送電用コイルと、少なくとも１つの前記送電用コイルを具備し、所定の共振周波数で共振できるように構成された送電コイルユニットと、前記被検体の処置に用いられる医療機器と、前記医療機器の内部において、少なくとも一部が非導電性の部材に覆われた状態で設けられた受電用コイルと、前記受電用コイルを具備し、前記所定の共振周波数に一致する共振周波数で共振できるように構成された受電コイルユニットと、任意の出力レベル及び周波数を具備する交流電力を前記送電コイルユニットへ出力できるように構成された電源装置と、所定の出力レベル及び所定の周波数を具備する交流電力を前記電源装置から前記送電コイルユニットへ出力させるような制御を行い、さらに、前記所定の出力レベル及び前記所定の周波数を具備する交流電力の出力に伴って発生する反射の大きさ、または、前記所定の出力レベル及び前記所定の周波数を具備する交流電力が前記受電コイルユニットにおいて受電された際の電力の大きさのいずれかを検出した結果に基づき、磁界に反応する物体が前記送電用コイルの近傍に存在するか否かを推定できるように構成された制御部と、を有する。
【発明の効果】
【０００７】
本発明における医療用無線給電システムによれば、被験者に対する処置における安全性を確保しつつ、医療機器に対する無線給電を行うことができる。
【図面の簡単な説明】
【０００８】
【図１Ａ】第１の実施例に係るトロッカーの外観を示す図。
【図１Ｂ】第１の実施例に係るトロッカーの要部の構成を示す図。
【図２】第１の実施例に係るバイポーラ電気メスの要部の構成を示す図。
【図３】図２のバイポーラ電気メスの先端部を拡大して示した図。
【図４】バイポーラ電気メスをトロッカーに挿通した状態の一例を示す図。
【図５】第１の実施例に係る医療用無線給電システムの要部の構成を示す図。
【図６】第１の実施例に係る医療用無線給電システムにおいて行われる制御の一例を示す図。
【図７】異物の存在の有無に応じた反射レベルの変化を説明するための図。
【図８】第１の実施例に係る医療用無線給電システムにおいて行われる制御の、図６とは異なる例を示す図。
【図９】第１の実施例に係る医療用無線給電システムにおいて行われる制御の、図６及び図８とは異なる例を示す図。
【図１０】第２の実施例に係る医療用無線給電システムの要部の構成を示す図。
【図１１】第２の実施例に係る医療用無線給電システムにおいて行われる制御の一例を示す図。
【図１２】第３の実施例に係る医療用無線給電システムの要部の構成を示す図。
【図１３】第３の実施例の変形例に係る医療用無線給電システムの要部の構成を示す図。
【図１４】第４の実施例に係る医療用無線給電システムの要部の構成を示す図。
【図１５】第４の実施例に係る医療用無線給電システムにおいて行われる制御の一例を示す図。
【図１６】第５の実施例に係るトロッカーの構成を示す図。
【図１７】図１６のような構成を具備するトロッカーを含む医療用無線給電システムにおいて行われる制御の一例を示す図。
【図１８Ａ】第５の実施例の第１の変形例に係るトロッカーの外観を示す図。
【図１８Ｂ】第５の実施例の第１の変形例に係るトロッカーの要部の内部構成を示す図。
【図１９】第５の実施例の第２の変形例に係る回路構成の一例を説明するための図。
【図２０】並列共振可能な送電コイルユニットをトロッカー内に設けた場合の構成の一例を示す図。
【図２１】並列共振可能な受電コイルユニットをバイポーラ電気メス内に設けた場合の構成の一例を示す図。
【発明を実施するための形態】
【０００９】
以下、本発明の実施の形態について、図面を参照しつつ説明を行う。
【００１０】
（第１の実施例）
図１Ａから図９は、本発明の第１の実施例に係るものである。
【００１１】
図１Ａは、第１の実施例に係るトロッカーの外観を示す図である。図１Ｂは、第１の実施例に係るトロッカーの要部の構成を示す図である。
【００１２】
図１Ａに示すように、トロッカー１は、略凸形状を具備して形成されている。また、トロッカー１は、処置具等を挿入可能な寸法を具備する孔として形成された挿入孔２と、後述の送電ケーブル２４を着脱自在に接続できるように形成された接続端子部３と、を有して構成されている。
【００１３】
図１Ｂに示すように、トロッカー１の内部には、挿入孔２の外周部に沿って巻回された送電用コイル４と、接続端子部３に設けられた電気端子３Ａ及び送電用コイル４に対して直列接続された送電用コンデンサ５と、が設けられている。
【００１４】
また、トロッカー１の内部における送電用コイル４及び送電用コンデンサ５の周辺は、樹脂等の絶縁部材で覆われている。なお、本実施例によれば、送電用コイル４の一部のみが樹脂等の絶縁部材で覆われるように構成してもよい。
【００１５】
送電用コイル４は、トロッカー１の内部かつ挿入孔２の外周部において、挿入孔２の挿入方向の軸（以降、挿入軸とも称する）に対して平行な（または挿入軸に一致する）巻き軸を具備するとともに、挿入孔２の入口側の開口部（上部開口部）の近傍を略覆うように巻かれている。そして、送電用コイル４の一方の端部が送電用コンデンサ５に対して接続されているとともに、送電用コイル４の他方の端部が電気端子３Ａに対して接続されている。
【００１６】
さらに、トロッカー１においては、後述のバイポーラ電気メス１１に内蔵された受電コイルユニットの直列共振周波数に一致する所定の直列共振周波数ＦＲ（例えば１３．５６ＭＨｚ）を具備するように、送電用コイル４のインダクタンス及び送電用コンデンサ５のキャパシタンスがそれぞれ設定されている。
【００１７】
すなわち、トロッカー１の内部には、送電用コイル４及び送電用コンデンサ５を含む直列共振回路としての送電コイルユニットが設けられている。
【００１８】
図２は、第１の実施例に係るバイポーラ電気メスの要部の構成を示す図である。図３は、図２のバイポーラ電気メスの先端部を拡大して示した図である。
【００１９】
図２に示すように、バイポーラ電気メス１１は、切開または凝固等の処置を行うための高周波電流を生体組織に印加可能な処置用電極１２を先端部に具備し、トロッカー１の挿入孔２に挿入可能な細長形状の挿入部１３を中途部に具備し、処置用電極１２の開閉動作に係る操作を手動で行うことが可能な操作部１４を後端部に具備して構成されている。
【００２０】
また、図２に示すように、バイポーラ電気メス１１は、樹脂等の絶縁部材で形成された円筒状の外筒部１５により、挿入部１３の内部の水密が保たれるように構成されている。
【００２１】
さらに、図２及び図３に示すように、外筒部１５の内部には、樹脂等の絶縁部材により形成された円筒状の内筒部１６と、内筒部１６の外周部に沿って巻回された受電用コイル１７と、受電用コイル１７において受電された交流電流の波形を（切開または凝固等の）処置に適した波形に変換して処置用電極１２を駆動することが可能な変換回路１８と、受電用コイル１７及び変換回路１８に対して直列接続された受電用コンデンサ１９と、が設けられている。
【００２２】
受電用コイル１７は、外筒部１５の内部かつ内筒部１６の外周部において、挿入部１３の長軸に平行な（または一致する）巻き軸を具備するとともに、処置用電極１２の近傍から操作部１４の近傍に至るまでの部分（挿入部１３の先端側から後端側に至るまでの部分）を略覆うように巻かれている。そして、受電用コイル１７の一方の端部が受電用コンデンサ１９に対して接続されているとともに、受電用コイル１７の他方の端部が変換回路１８に対して接続されている。
【００２３】
さらに、バイポーラ電気メス１１においては、トロッカー１に内蔵された送電コイルユニットの直列共振周波数に一致する所定の直列共振周波数ＦＲ（例えば１３．５６ＭＨｚ）を具備するように、受電用コイル１７のインダクタンス及び受電用コンデンサ１９のキャパシタンスがそれぞれ設定されている。
【００２４】
すなわち、バイポーラ電気メス１１の内部には、受電用コイル１７及び受電用コンデンサ１９を含む直列共振回路としての受電コイルユニットが設けられている。
【００２５】
そして、例えば図４に示すように、バイポーラ電気メス１１は、挿入部１３をトロッカー１の挿入孔２に挿通した状態で使用される。図４は、バイポーラ電気メスをトロッカーに挿通した状態の一例を示す図である。
【００２６】
ここで、本実施例の医療用無線給電システムの構成及び作用について説明する。図５は、第１の実施例に係る医療用無線給電システムの要部の構成を示す図である。
【００２７】
図５に示すように、本実施例の医療用無線給電システム２０１は、トロッカー１と、バイポーラ電気メス１１と、電源装置２１と、を有して構成されている。
【００２８】
電源装置２１は、任意の周波数及び出力レベルを具備する交流電力をトロッカー１へ供給できるように構成されている。また、電源装置２１は、ＣＰＵ等の制御装置を備えた制御部２１Ａと、ＬＣＤ等の表示装置を備えた表示部２１Ｂと、を有して構成されている。
【００２９】
一方、術者等は、被験者の体壁にトロッカー１を穿設し、電源装置２１と、電源装置２１からトロッカー１への電力供給をオンまたはオフにするための指示信号を出力可能なフットスイッチ２２と、の間を信号ケーブル２３により接続し、電源装置２１と、トロッカー１の接続端子部３と、の間を送電ケーブル２４により接続した後、電源装置２１の電源を投入する。
【００３０】
電源装置２１の制御部２１Ａは、電源装置２１の電源が投入された略直後のタイミングにおいて、図６のフローチャートに示すような制御を行う。図６は、第１の実施例に係る医療用無線給電システムにおいて行われる制御の一例を示す図である。
【００３１】
制御部２１Ａは、バイポーラ電気メス１１の駆動に要する電力に比べて十分小さな出力レベルＰＬ（例えば１ｍＷ）を具備するとともに、トロッカー１の送電コイルユニットの共振周波数に一致する周波数ＦＲを具備する交流電力をトロッカー１へ出力するための制御を行う（図６のステップＳ１）。
【００３２】
その後、制御部２１Ａは、前述の出力レベルＰＬ及び周波数ＦＲを具備する交流電力を出力した際に発生する反射の大きさを示す値としての反射レベルＲＬ１を計測する（図６のステップＳ２）。
【００３３】
そして、制御部２１Ａは、ＲＬ１／ＰＬの値が所定値ＴＨ１（例えば０．８）以上であることを検出した（図６のステップＳ３）場合には、磁界に反応する物体がトロッカー１の周辺に存在しないと推定し、トロッカー１の周辺に異物が存在しない旨を報知可能な文字列等を電源装置２１の表示部２１Ｂに表示させるための制御を行う（図６のステップＳ４）。
【００３４】
また、制御部２１Ａは、ＲＬ１／ＰＬの値が所定値ＴＨ１未満であることを検出した（図６のステップＳ３）場合には、磁界に反応する物体がトロッカー１の周辺に存在すると推定し、トロッカー１の周辺に異物が存在する旨を報知可能な文字列等を電源装置２１の表示部２１Ｂに表示させるための制御を行う（図６のステップＳ５）。さらに、制御部２１Ａは、図６のステップＳ５を経た後、例えば、ＲＬ１／ＰＬの値が所定値ＴＨ１以上になったことを検出するまでは、トロッカー１の周辺に異物が存在する旨を報知可能な文字列等を表示部２１Ｂに表示させ続ける。
【００３５】
そして、以上に述べたような一連の制御が行われることにより、トロッカー１が被験者の体壁に穿設された後（被験者の近傍に配置された後）からバイポーラ電気メス１１がトロッカー１に挿入される前（送電用コイル４の近傍に配置される前）までの期間内に、磁界に反応する物体がトロッカー１の周辺に存在するか否かを検出することができるとともに、当該検出した結果に応じた文字列等を表示部２１Ｂに表示させることができる。
【００３６】
なお、本実施例によれば、バイポーラ電気メス１１がトロッカー１に挿入される前に、トロッカー１の近傍における異物（磁界に反応する物体）の存在の有無を検出するものに限らず、例えば、バイポーラ電気メス１１がトロッカー１に挿入された後に、トロッカー１の近傍における異物（磁界に反応する物体）の存在の有無を検出するようにしてもよい。図７は、異物の存在の有無に応じた反射レベルの変化を説明するための図である。
【００３７】
ところで、図７に示すように、磁界に反応する物体である異物が存在しない状態でトロッカー１にバイポーラ電気メス１１が挿入されている際に計測される反射レベルは、バイポーラ電気メス１１の受電コイルユニットの直列共振周波数に一致する周波数ＦＲにおいて略極小値となる一方で、例えば、周波数ＦＲに対して十分大きな周波数ＦＳ１（例えば２０ＭＨｚ）、及び、周波数ＦＲに対して十分小さな周波数ＦＳ２（例えば５ＭＨｚ）においてはいずれも高い値となる。
【００３８】
また、図７に示すように、磁界に反応する物体である異物が存在する状態でトロッカー１にバイポーラ電気メス１１が挿入されている際に計測される反射レベルは、周波数ＦＲ、ＦＳ１及びＦＳ２の各周波数において略一定の値となる。
【００３９】
そこで、制御部２１Ａは、バイポーラ電気メス１１の駆動に要する（周波数ＦＲの）交流電力をトロッカー１に対して供給しながら、図８のフローチャートに示すような制御を行う。図８は、第１の実施例に係る医療用無線給電システムにおいて行われる制御の、図６とは異なる例を示す図である。
【００４０】
具体的には、制御部２１Ａは、トロッカー１への電力供給をオンにするための指示信号がフットスイッチ２２から出力されたことを検出すると、バイポーラ電気メス１１の駆動に要する（周波数ＦＲの）交流電力をトロッカー１に対して供給しながら、出力レベルＰＬ及び周波数ＦＳ１を具備する交流電力を連続的または断続的にトロッカー１へ出力する制御を行う（図８のステップＳ１１）とともに、当該出力レベルＰＬ及び周波数ＦＳ１を具備する交流電力を出力した際に発生する反射の大きさを示す値としての反射レベルＲＬ２を計測する（図８のステップＳ１２）。
【００４１】
そして、制御部２１Ａは、ＲＬ２／ＰＬの値が所定値ＴＨ２（例えば０．８）以上であることを検出した（図８のステップＳ１３）場合には、磁界に反応する物体がトロッカー１の周辺に存在しないと推定し、図８のステップＳ１１からの制御を再度行いつつ、バイポーラ電気メス１１の駆動に要する（周波数ＦＲの）交流電力の供給を継続する。
【００４２】
また、制御部２１Ａは、ＲＬ２／ＰＬの値が所定値ＴＨ２未満であることを検出した（図８のステップＳ１３）場合には、磁界に反応する物体がトロッカー１の周辺に存在すると推定し、トロッカー１への電力供給をオンにするための指示信号がフットスイッチ２２から出力されていたとしても、バイポーラ電気メス１１の駆動に要する（周波数ＦＲの）交流電力の供給を停止する（図８のステップＳ１４）。さらに、制御部２１Ａは、図８のステップＳ１４を経た後、例えば、ＲＬ２／ＰＬの値が所定値ＴＨ２以上になったことを検出するまでは、トロッカー１への電力供給をオンにするための指示信号がフットスイッチ２２から出力されていたとしても、バイポーラ電気メス１１の駆動に要する（周波数ＦＲの）交流電力の供給を停止し続ける。
【００４３】
なお、前述の図８のステップＳ１１において、周波数ＦＳ１を具備する交流電力が出力される代わりに、周波数ＦＳ２を具備する交流電力が出力されてもよい。
【００４４】
また、図８の一連の制御は、前述したものに限らず、例えば、出力レベルＰＬ及び周波数ＦＳ１を具備する交流電力を出力した際に発生する反射の大きさを示す値としての反射レベルＲＬＡと、出力レベルＰＬ及び周波数ＦＳ２を具備する交流電力を出力した際に発生する反射の大きさを示す値としての反射レベルＲＬＢと、に基づき、ＲＬＡ／ＰＬの値及びＲＬＢ／ＰＬの値のうちの少なくとも一方が所定値ＴＨＡ（例えば０．８）未満であることを検出した場合に、バイポーラ電気メス１１の駆動に要する（周波数ＦＲの）交流電力の供給を停止するような制御であってもよい。
【００４５】
そして、以上に述べたような一連の制御が行われることにより、バイポーラ電気メス１１がトロッカー１に挿入された後（被験者の体腔内に挿入された後）に、磁界に反応する物体がトロッカー１の周辺に存在するか否かを検出することができるとともに、当該検出した結果に応じてバイポーラ電気メス１１の駆動に要する電力の供給を継続または停止させることができる。
【００４６】
また、本実施例によれば、図６及び（または）図８に示した一連の制御に併せ、例えば、バイポーラ電気メス１１がトロッカー１に挿入されたことを検出した後で、当該医療機器の駆動に要する電力の供給を開始するような、以下の制御が行われるものであってもよい。図９は、第１の実施例に係る医療用無線給電システムにおいて行われる制御の、図６及び図８とは異なる例を示す図である。
【００４７】
制御部２１Ａは、トロッカー１への電力供給をオンにするための指示信号がフットスイッチ２２から出力されたことを検出すると、出力レベルＰＬ及び周波数ＦＲを具備する交流電力をトロッカー１へ出力するための制御を行う（図９のステップＳ２１）とともに、当該出力レベルＰＬ及び周波数ＦＲを具備する交流電力を出力した際に発生する反射の大きさを示す値としての反射レベルＲＬ３を計測する（図９のステップＳ２２）。
【００４８】
そして、制御部２１Ａは、ＲＬ３／ＰＬの値が所定値ＴＨ３（例えば０．１）より大きいことを検出した（図９のステップＳ２３）場合には、バイポーラ電気メス１１がトロッカー１に挿入されていないと推定し、フットスイッチ２２から出力される（トロッカー１への電力供給をオンにするための）指示信号を無効化しつつ、図９のステップＳ２１からの制御を再度行う。
【００４９】
また、制御部２１Ａは、ＲＬ３／ＰＬの値が所定値ＴＨ３以下であることを検出した（図９のステップＳ２３）場合には、バイポーラ電気メス１１がトロッカー１に挿入されていると推定し、バイポーラ電気メス１１の駆動に要する（周波数ＦＲの）交流電力の供給を開始する（図９のステップＳ２４）。さらに、制御部２１Ａは、図９のステップＳ２４を経た後、ＲＬ３／ＰＬの値が所定値ＴＨ３より大きくなったことを再度検出するまでは、バイポーラ電気メス１１の駆動に要する周波数ＦＲの交流電力の供給を継続する。一方、制御部２１Ａは、図９のステップＳ２４を経た後、ＲＬ３／ＰＬの値が所定値ＴＨ３より大きくなったことを再度検出した際に、バイポーラ電気メス１１の駆動に要する（周波数ＦＲの）交流電力の供給を停止した後、図９のステップＳ２１からの制御を再度行う。
【００５０】
そして、以上に述べたような一連の制御が行われることにより、バイポーラ電気メス１１がトロッカー１に挿入されていない場合において、電源装置２１からトロッカー１への電力の供給を停止することができ、すなわち、トロッカー１から大きな磁界を発生させないようにすることができる。
【００５１】
以上に述べたように、本実施例の医療用無線給電システムによれば、被験者に対する処置における安全性を確保しつつ、医療機器に対する無線給電を行うことができる。
【００５２】
（第２の実施例）
図１０及び図１１は、本発明の第２の実施例に係るものである。
【００５３】
なお、本実施例においては、第１の実施例と同様の構成等を有する部分に関する詳細な説明を省略するとともに、第１の実施例と異なる構成等を有する部分に関して主に説明を行う。図１０は、第２の実施例に係る医療用無線給電システムの要部の構成を示す図である。
【００５４】
図１０に示すように、本実施例の医療用無線給電システム２０２は、トロッカー３１と、バイポーラ電気メス４１と、電源装置２１と、を有して構成されている。
【００５５】
トロッカー３１は、後述の通信部４１Ｂから出力される無線信号を受信することが可能な通信部３１Ａをトロッカー１の内部に設けて構成されている。また、通信部３１Ａは、通信ケーブル２５を介して電源装置２１に接続できるように構成されている。
【００５６】
バイポーラ電気メス４１は、受電コイルユニットにおいて受電した電力の大きさを示す受電レベルＰＷＲの値を計測可能な電力計測部４１Ａと、電力計測部４１Ａにおいて計測された受電レベルＰＷＲの情報を含む無線信号を生成して通信部３１Ａへ送信することが可能な通信部４１Ｂと、をバイポーラ電気メス１１の内部に設けて構成されている。
【００５７】
ここで、以上に述べたような構成を具備する医療用無線給電システム２０２の作用について説明する。図１１は、第２の実施例に係る医療用無線給電システムにおいて行われる制御の一例を示す図である。
【００５８】
まず、術者等は、例えば図１０に示すように、被験者の体壁にトロッカー３１を穿設し、電源装置２１とフットスイッチ２２との間を信号ケーブル２３により接続し、電源装置２１とトロッカー３１の接続端子部３との間を送電ケーブル２４により接続し、さらに、電源装置２１とトロッカー３１（の通信部３１Ａ）との間を通信ケーブル２５により接続する。
【００５９】
その後、術者等は、被験者の体壁に設置されたトロッカー３１を介し、当該被験者の体腔内へバイポーラ電気メス４１を挿入してゆく。
【００６０】
そして、術者等は、例えば、内視鏡画像の観察または目視等により、体腔内の処置対象部位の近傍に処置用電極１２が到達したことを確認すると、フットスイッチ２２を操作することにより、電源装置２１からトロッカー３１への電力供給をオンする。
【００６１】
一方、制御部２１Ａは、トロッカー３１への電力供給をオンにするための指示信号がフットスイッチ２２から出力されたことを検出すると、出力レベルＰＷＳ及び周波数ＦＲを具備する交流電力を、バイポーラ電気メス４１の駆動に要する交流電力としてトロッカー３１へ出力するための制御を行う（図１１のステップＳ３１）。
【００６２】
その後、制御部２１Ａは、トロッカー３１に接続された通信ケーブル２５を介し、通信部３１Ａにおいて受信された無線信号に含まれる受電レベルＰＷＲの情報を検出する（図１１のステップＳ３２）。
【００６３】
そして、制御部２１Ａは、ＰＷＲ／ＰＷＳの値が所定値ＴＨ４（例えば０．８）以上であることを検出した（図１１のステップＳ３３）場合には、磁界に反応する物体がトロッカー３１の周辺に存在しないと推定し、図１１のステップＳ３１からの制御を再度行いつつ、出力レベルＰＷＳ及び周波数ＦＲを具備する（バイポーラ電気メス４１の駆動に要する）交流電力の供給を継続する。
【００６４】
また、制御部２１Ａは、ＰＷＲ／ＰＷＳの値が所定値ＴＨ４未満であることを検出した（図１１のステップＳ３３）場合には、磁界に反応する物体がトロッカー３１の周辺に存在すると推定し、トロッカー３１への電力供給をオンにするための指示信号がフットスイッチ２２から出力されていたとしても、出力レベルＰＷＳ及び周波数ＦＲを具備する（バイポーラ電気メス４１の駆動に要する）交流電力の供給を停止する（図１１のステップＳ３４）。さらに、制御部２１Ａは、図１１のステップＳ３４を経た後、例えば、ＰＷＲ／ＰＷＳの値が所定値ＴＨ４以上になったことを検出するまでは、トロッカー３１への電力供給をオンにするための指示信号がフットスイッチ２２から出力されていたとしても、出力レベルＰＷＳ及び周波数ＦＲを具備する（バイポーラ電気メス４１の駆動に要する）交流電力の供給を停止し続ける。
【００６５】
そして、以上に述べたような一連の制御が行われることにより、バイポーラ電気メス４１がトロッカー３１に挿入された後（被験者の体腔内に挿入された後）に、磁界に反応する物体がトロッカー３１の周辺に存在するか否かを精度良く検出することができるとともに、当該検出した結果に応じてバイポーラ電気メス４１の駆動に要する電力の供給を継続または停止させることができる。
【００６６】
以上に述べたように、本実施例の医療用無線給電システムによれば、被験者に対する処置における安全性を確保しつつ、医療機器に対する無線給電を行うことができる。
【００６７】
（第３の実施例）
図１２及び図１３は、本発明の第３の実施例に係るものである。
【００６８】
なお、本実施例においては、第１及び第２の実施例のいずれかと同様の構成等を有する部分に関する詳細な説明を省略するとともに、第１及び第２の実施例のいずれとも異なる構成等を有する部分に関して主に説明を行う。図１２は、第３の実施例に係る医療用無線給電システムの要部の構成を示す図である。
【００６９】
図１２に示すように、本実施例の医療用無線給電システム２０３は、トロッカー１と、バイポーラ電気メス１１と、電源装置２１と、心拍計測装置５１と、を有して構成されている。
【００７０】
心拍計測装置５１は、被験者の心臓の近傍における体表面に電極５１Ａが貼り付けられた状態で、当該被験者の心拍数を計測することができるように構成されている。
【００７１】
また、心拍計測装置５１は、通信ケーブル２６を介して電源装置２１との間で通信を行うことができるとともに、トロッカー１へ現在供給されている交流電力の周波数ＰＷＦの情報を電源装置２１から受信することができるように構成されている。
【００７２】
さらに、心拍計測装置５１は、相互に異なる周波数帯域の信号成分を遮断するようにそれぞれ設定された複数のノイズカットフィルタ５１Ｂを具備するフィルタ部５１Ｃを内蔵して構成されている。
【００７３】
そして、以上に述べたような構成を心拍計測装置５１が具備することにより、例えば、トロッカー１へ現在供給されている交流電力の周波数ＰＷＦの検出結果に基づき、フィルタ部５１Ｃに含まれる複数のノイズカットフィルタ５１Ｂの中から、交流電力の周波数ＰＷＦを含む帯域を遮断可能な１つのノイズカットフィルタ５１Ｂを選択し、さらに、当該選択した１つのノイズカットフィルタ５１Ｂを心拍数の計測の際に動作させることができる。
【００７４】
一方、本実施例においては、前述の医療用無線給電システム２０３のような構成を具備するものに限らず、例えば、図１３の医療用無線給電システム２０４のような構成を具備していても良い。図１３は、第３の実施例の変形例に係る医療用無線給電システムの要部の構成を示す図である。
【００７５】
図１３に示すように、本実施例の医療用無線給電システム２０４は、トロッカー１と、バイポーラ電気メス１１と、電源装置６１と、心拍計測装置７１と、を有して構成されている。
【００７６】
電源装置６１は、心拍計測装置７１との併用が可能である旨を示す文字列及び（または）記号を含む識別情報部６２を電源装置２１の外表面に設けて構成されている。
【００７７】
一方、心拍計測装置７１は、被験者の心臓の近傍における体表面に電極７１Ａが貼り付けられた状態で、当該被験者の心拍数を計測することができるように構成されている。
【００７８】
また、心拍計測装置７１は、所定の周波数帯域の信号成分を遮断するように設定されたノイズカットフィルタ７１Ｂを内蔵して構成されている。
【００７９】
さらに、心拍計測装置７１は、電源装置６１との併用が可能である旨を示す文字列及び（または）記号を含む識別情報部７２を外表面に設けて構成されている。
【００８０】
そして、以上に述べたような構成を電源装置６１及び心拍計測装置７１が具備することにより、例えば、識別情報部６２及び７２を参照することにより、複数の心拍計測装置７１の中から、電源装置６１から出力される交流電力の周波数ＦＲを含む帯域を遮断可能なノイズカットフィルタ７１Ｂを具備する１つの心拍計測装置７１を選択して使用することができる。
【００８１】
なお、本実施例においては、所定のフィルタ回路を具備するようなハードウェアによりノイズカットフィルタ５１Ｂ及び（あるいは）７１Ｂを構成してもよく、または、所定のフィルタ処理を行うようなソフトウェアによりノイズカットフィルタ５１Ｂ及び（あるいは）７１Ｂを構成してもよい。
【００８２】
以上に述べたように、本実施例の医療用無線給電システムによれば、第１の実施例と同様に、被験者に対する処置における安全性を確保しつつ、医療機器に対する無線給電を行うことができる。
【００８３】
また、本実施例の医療用無線給電システムによれば、電源装置からトロッカーへの電力の供給に起因して発生するノイズが低減された状態で、被験者の心拍数の計測を行うことができる。
【００８４】
なお、本実施例は、電気または磁気により被験者の生体情報を取得可能な構成を具備する限りにおいては、心拍計測装置５１及び７１以外の他の装置（生体情報取得装置）に対しても略同様に適用することができる。
【００８５】
（第４の実施例）
図１４及び図１５は、本発明の第４の実施例に係るものである。
【００８６】
なお、本実施例においては、第１〜第３の実施例のいずれかと同様の構成等を有する部分に関する詳細な説明を省略するとともに、第１〜第３の実施例のいずれとも異なる構成等を有する部分に関して主に説明を行う。図１４は、第４の実施例に係る医療用無線給電システムの要部の構成を示す図である。
【００８７】
図１４に示すように、本実施例の医療用無線給電システム２０５は、トロッカー１と、バイポーラ電気メス１１と、電源装置２１と、心拍計測装置８１と、を有して構成されている。
【００８８】
心拍計測装置８１は、被験者の心臓の近傍における体表面に電極８１Ａが貼り付けられた状態で、当該被験者の心拍数を計測することができるように構成されている。
【００８９】
また、心拍計測装置８１は、術者等の操作により心拍数の計測をオンまたはオフにするための指示を行うことが可能なスイッチ８２と、心拍数の計測をオンにするための指示がスイッチ８２においてなされている場合に、電極８１Ａから出力される信号に基づく心拍数の計測動作を一定期間毎に行うことが可能な心拍数計測部８３と、を具備している。
【００９０】
一方、心拍数計測部８３は、通信ケーブル２６を介して電源装置２１との間で通信を行うことができるように構成されているとともに、心拍数の計測をオンにするための指示がスイッチ８２においてなされている場合に、心拍数の計測動作の開始を示す計測開始信号と、心拍数の計測動作の終了を示す計測終了信号と、を電源装置２１へそれぞれ出力することができるように構成されている。
【００９１】
ここで、本実施例の電源装置２１及び心拍計測装置８１の具体的な動作について、図１５を参照しつつ説明する。図１５は、第４の実施例に係る医療用無線給電システムにおいて行われる制御の一例を示す図である。
【００９２】
電源装置２１の制御部２１Ａは、トロッカー１への電力供給をオンにするための指示信号がフットスイッチ２２から出力されている場合において、バイポーラ電気メス１１の駆動に要する（周波数ＦＲの）交流電力をトロッカー１に対して供給する（図１５のステップＳ４１）。
【００９３】
一方、心拍計測装置８１の心拍数計測部８３は、心拍数の計測をオンにするための指示がスイッチ８２においてなされている場合において、計測開始信号を電源装置２１へ送信した（図１５のステップＳ５１）後、電極８１Ａから出力される信号に基づく心拍数の計測動作を開始する（図１５のステップＳ５２）。
【００９４】
制御部２１Ａは、図１５のステップＳ５１により心拍数計測部８３から送信された計測開始信号を受信すると（図１５のステップＳ４２）、バイポーラ電気メス１１の駆動に要する交流電力のトロッカー１への供給を停止するための制御を行う（図１５のステップＳ４３）。
【００９５】
一方、心拍数計測部８３は、図１５のステップＳ５２において開始した心拍数の計測動作が終了すると（図１５のステップＳ５３）、計測終了信号を電源装置２１へ送信する（図１５のステップＳ５４）。
【００９６】
制御部２１Ａは、図１５のステップＳ５４により心拍数計測部８３から送信された計測終了信号を受信すると（図１５のステップＳ４４）、バイポーラ電気メス１１の駆動に要する交流電力のトロッカー１への供給を再開するための制御を行う（図１５のステップＳ４５）。
【００９７】
すなわち、本実施例の電源装置２１及び心拍計測装置８１によれば、トロッカー１への電力供給をオンにするための指示信号がフットスイッチ２２から出力されており、かつ、心拍数の計測をオンにするための指示がスイッチ８２においてなされている場合において、図１５に示すような一連の動作が一定周期毎に繰り返し行われる。
【００９８】
なお、図１５に示した一連の動作の繰り返し周期は、心拍数計測部８３による心拍数の計測動作の実施間隔に応じて設定されるとともに、図１５のステップＳ５１からステップＳ５４までの各動作に要する期間（例えば１０ミリ秒）に比べて十分長い期間に設定されるものとする。
【００９９】
また、本実施例によれば、図１５のステップＳ４３において、図１５のステップＳ４１の時点で出力されていた交流電力の供給を停止するための制御が行われるものに限らず、例えば、図１５のステップＳ４１の時点で出力されていた交流電力に比べて低い出力レベルの交流電力を供給するための制御が行われるものであってもよい。
【０１００】
以上に述べたように、本実施例の医療用無線給電システムによれば、第１の実施例と同様に、被験者に対する処置における安全性を確保しつつ、医療機器に対する無線給電を行うことができる。
【０１０１】
また、本実施例の医療用無線給電システムによれば、電源装置からトロッカーへの電力の供給に起因して発生するノイズが低減された状態で、被験者の心拍数の計測を行うことができる。
【０１０２】
なお、本実施例は、電気または磁気により被験者の生体情報を取得可能な構成を具備する限りにおいては、心拍計測装置８１以外の他の装置（生体情報取得装置）に対しても略同様に適用することができる。
【０１０３】
（第５の実施例）
図１６から図１９は、本発明の第５の実施例に係るものである。
【０１０４】
なお、本実施例においては、第１〜第４の実施例のいずれかと同様の構成等を有する部分に関する詳細な説明を省略するとともに、第１〜第４の実施例のいずれとも異なる構成等を有する部分に関して主に説明を行う。
【０１０５】
本実施例に係る医療用無線給電システムは、第１の実施例の医療用無線給電システム２０１に含まれるトロッカー１の代わりに、図１６に示すようなトロッカー２２１を用いて構成されている。図１６は、第５の実施例に係るトロッカーの構成を示す図である。
【０１０６】
図１６に示すように、トロッカー２２１は、処置具等を挿入可能な寸法を具備する孔として形成された挿入孔２２２と、送電ケーブル２４を着脱自在に接続できるようにそれぞれ形成された接続端子部２２３Ｍ及び２２３Ｎと、を有して構成されている。
【０１０７】
図１６に示すように、トロッカー２２１の内部には、挿入孔２２２の外周部に沿って巻回された送電用コイル２２４Ｍと、接続端子部２２３Ｍに設けられた電気端子２２３Ａ及び送電用コイル２２４Ｍに対して直列接続された送電用コンデンサ２２５Ｍと、が設けられている。
【０１０８】
また、トロッカー２２１の内部における送電用コイル２２４Ｍ及び送電用コンデンサ２２５Ｍの周辺は、樹脂等の絶縁部材で覆われている。
【０１０９】
送電用コイル２２４Ｍは、トロッカー２２１の内部かつ挿入孔２２２の外周部において、挿入孔２１２の挿入軸に対して平行な巻き軸を具備するとともに、挿入孔２２２の一部を略覆うように巻かれている。そして、送電用コイル２２４Ｍの一方の端部が送電用コンデンサ２２５Ｍに対して接続されているとともに、送電用コイル２２４Ｍの他方の端部が電気端子２２３Ａに対して接続されている。
【０１１０】
さらに、トロッカー２２１においては、所定の直列共振周波数ＦＣ１（例えば１３．５６ＭＨｚ）を具備するように、送電用コイル２２４Ｍのインダクタンス及び送電用コンデンサ２２５Ｍのキャパシタンスがそれぞれ設定されている。
【０１１１】
一方、図１６に示すように、トロッカー２２１の内部には、挿入孔２２２の外周部に沿って巻回された送電用コイル２２４Ｎと、接続端子部２２３Ｎに設けられた電気端子２２３Ｂ及び送電用コイル２２４Ｎに対して直列接続された送電用コンデンサ２２５Ｎと、が設けられている。
【０１１２】
また、トロッカー２２１の内部における送電用コイル２２４Ｎ及び送電用コンデンサ２２５Ｎの周辺は、樹脂等の絶縁部材で覆われている。
【０１１３】
送電用コイル２２４Ｎは、トロッカー２２１の内部かつ送電用コイル２２４Ｍの外周部において、挿入孔２２２の挿入軸に対して平行な巻き軸を具備するように巻かれている。そして、送電用コイル２２４Ｎの一方の端部が送電用コンデンサ２２５Ｎに対して接続されているとともに、送電用コイル２２４Ｎの他方の端部が電気端子２２３Ｂに対して接続されている。
【０１１４】
さらに、トロッカー２２１においては、送電用コイル２２４Ｍ及び送電用コンデンサ２２５Ｍにより設定されるものとは異なる所定の直列共振周波数ＦＣ２（例えば１０ＭＨｚ）を具備するように、送電用コイル２２４Ｎのインダクタンス及び送電用コンデンサ２２５Ｎのキャパシタンスがそれぞれ設定されている。
【０１１５】
すなわち、トロッカー２２１の内部には、送電用コイル２２４Ｍ及び送電用コンデンサ２２５Ｍを含む送電コイルユニットと、送電用コイル２２４Ｎ及び送電用コンデンサ２２５Ｎを含む送電コイルユニットと、の２つの送電コイルユニットが、挿入孔２２２の外周部の一部を二重に囲むように設けられている。
【０１１６】
ここで、以上のようなトロッカー２２１を含む医療用無線給電システムの作用について説明する。図１７は、図１６のような構成を具備するトロッカーを含む医療用無線給電システムにおいて行われる制御の一例を示す図である。
【０１１７】
制御部２１Ａは、例えば、第１の実施例で説明した手法を用いて、トロッカー２２１の挿入孔２２２にバイポーラ電気メス１１が挿入されていることを検出した際に、バイポーラ電気メス１１の駆動に要する電力に比べて十分小さな出力レベルＰＬを具備するとともに、トロッカー２２１の一方の送電コイルユニットの直列共振周波数に一致する周波数ＦＣ１を具備する交流電力を出力するための制御を行う（図１７のステップＳ６１）。
【０１１８】
その後、制御部２１Ａは、出力レベルＰＬ及び周波数ＦＣ１を具備する交流電力を出力した際に発生する反射の大きさを示す値としての反射レベルＲＬ４を計測する（図１７のステップＳ６２）。
【０１１９】
一方、制御部２１Ａは、出力中の交流電力の周波数をＦＣ１からＦＣ２に切り替えることにより、バイポーラ電気メス１１の駆動に要する電力に比べて十分小さな出力レベルＰＬを具備するとともに、トロッカー２２１の他方の送電コイルユニットの直列共振周波数に一致する周波数ＦＣ２を具備する交流電力を出力するための制御を行う（図１７のステップＳ６３）。
【０１２０】
その後、制御部２１Ａは、出力レベルＰＬ及び周波数ＦＣ２を具備する交流電力を出力した際に発生する反射の大きさを示す値としての反射レベルＲＬ５を計測する（図１７のステップＳ６４）。
【０１２１】
そして、制御部２１Ａは、反射レベルＲＬ５が反射レベルＲＬ４以上であることを検出した（図１７のステップＳ６５）場合には、バイポーラ電気メス１１の駆動に要する交流電力を周波数ＦＣ１で供給するための制御を行う（図１７のステップＳ６６）。
【０１２２】
また、制御部２１Ａは、反射レベルＲＬ５が反射レベルＲＬ４未満であることを検出した（図１７のステップＳ６５）場合には、バイポーラ電気メス１１の駆動に要する交流電力を周波数ＦＣ２で供給するための制御を行う（図１７のステップＳ６７）。
【０１２３】
なお、本実施例においては、前述のトロッカー２２１の代わりに、例えば、図１８Ａ及び図１８Ｂに示すようなトロッカー２４１を用いて医療用無線給電システムを構成した場合であっても、図１７の一連の制御を略同様に適用することができる。図１８Ａは、第５の実施例の第１の変形例に係るトロッカーの外観を示す図である。図１８Ｂは、第５の実施例の第１の変形例に係るトロッカーの要部の内部構成を示す図である。
【０１２４】
図１８Ａに示すように、トロッカー２４１は、被検体の体壁に形成した１つの切開創から複数の医療機器を同時に挿入して使用することができるように構成されている。
【０１２５】
具体的には、図１８Ａに示すように、トロッカー２４１は、３つの挿入孔部２４１Ａと、各挿入孔部２４１Ａに１つずつ設けられた挿入孔２４２の出口側の開口部（図示せず）にそれぞれ連通するように形成された筒体部２４１Ｂと、各挿入孔部２４１Ａの外周側を環状に囲むように形成された環体部２４１Ｃと、を有して構成されている。
【０１２６】
また、図１８Ａに示すように、各挿入孔部２４１Ａには、処置具等を挿入可能な寸法を具備する孔として形成された挿入孔２４２が設けられている。
【０１２７】
さらに、図１８Ａに示すように、環体部２４１Ｃの側面には、送電ケーブル２４を着脱自在に接続できるように形成された接続端子部２４３が設けられている。
【０１２８】
一方、図１８Ｂに示すように、環体部２４１Ｃの内部には、各挿入孔２３２の外周部の一部を覆うように巻回された送電用コイル２４４Ｍと、接続端子部２４３の電気端子２４３Ａに接続された電気接続部材２４６Ｍと、電気接続部材２４６Ｍ及び送電用コイル２４４Ｍに対して直列接続された送電用コンデンサ２４５Ｍと、が設けられている。
【０１２９】
また、環体部２４１Ｃの内部における送電用コイル２４４Ｍ及び送電用コンデンサ２４５Ｍの周辺は、樹脂等の絶縁部材で覆われている。
【０１３０】
送電用コイル２４４Ｍは、環体部２４１Ｃの内部かつ各挿入孔２２２の外周部において、各挿入孔２４２の挿入軸に対して平行な巻き軸を具備するように巻かれている。そして、送電用コイル２４４Ｍの一方の端部が送電用コンデンサ２４５Ｍに対して接続されているとともに、送電用コイル２４４Ｍの他方の端部が電気接続部材２４６Ｍに接続されている。
【０１３１】
さらに、トロッカー２４１においては、所定の直列共振周波数ＦＣ１（例えば１３．５６ＭＨｚ）を具備するように、送電用コイル２４４Ｍのインダクタンス及び送電用コンデンサ２４５Ｍのキャパシタンスがそれぞれ設定されている。
【０１３２】
また、図１８Ｂに示すように、環体部２４１Ｃの内部には、各挿入孔２３２の外周部の一部を覆うように巻回された送電用コイル２４４Ｎと、接続端子部２４３の電気端子２４３Ａに接続された電気接続部材２４６Ｎと、電気接続部材２４６Ｎ及び送電用コイル２４４Ｎに対して直列接続された送電用コンデンサ２４５Ｎと、が設けられている。
【０１３３】
さらに、環体部２４１Ｃの内部における送電用コイル２４４Ｎ及び送電用コンデンサ２４５Ｎの周辺は、樹脂等の絶縁部材で覆われている。
【０１３４】
送電用コイル２４４Ｎは、環体部２４１Ｃの内部かつ送電用コイル２４４Ｍの外周部において、各挿入孔２４２の挿入軸に対して平行な巻き軸を具備するように巻かれている。そして、送電用コイル２４４Ｎの一方の端部が送電用コンデンサ２４５Ｎに対して接続されているとともに、送電用コイル２４４Ｎの他方の端部が電気接続部材２４６Ｎに接続されている。
【０１３５】
さらに、環体部２４１Ｃにおいては、送電用コイル２４４Ｍ及び送電用コンデンサ２４５Ｍにより設定されるものとは異なる所定の直列共振周波数ＦＣ２（例えば１０ＭＨｚ）を具備するように、送電用コイル２４４Ｎのインダクタンス及び送電用コンデンサ２４５Ｎのキャパシタンスがそれぞれ設定されている。
【０１３６】
すなわち、環体部２４１Ｃの内部には、送電用コイル２４４Ｍ及び送電用コンデンサ２４５Ｍを含む送電コイルユニットと、送電用コイル２４４Ｎ及び送電用コンデンサ２４５Ｎを含む送電コイルユニットと、の２つの送電コイルユニットが、各挿入孔２４２の外周部の一部を二重に囲むように設けられている。
【０１３７】
一方、本実施例においては、前述のトロッカー２２１または２４１の代わりに、例えば、図１９に示すような回路構成をトロッカー１に適用して医療用無線給電システムを構成してもよい。図１９は、第５の実施例の第２の変形例に係る回路構成の一例を説明するための図である。
【０１３８】
具体的には、図１９の回路によれば、トロッカー１における送電用コンデンサ５の代わりに、例えば、送電用コンデンサ５Ａ、５Ｂ及び５Ｃと、スイッチング回路７と、が設けられている。
【０１３９】
送電用コンデンサ５Ａ、５Ｂ及び５Ｃは、相互に異なるキャパシタンスを具備するとともに、電気端子３Ａ及びスイッチング回路７の間で相互に並列接続されている。
【０１４０】
スイッチング回路７は、送電用コイル４に直列接続されているとともに、電源装置２１の制御に応じ、送電用コイル４との間で直列共振回路を形成する送電用コンデンサを、送電用コンデンサ５Ａ、５Ｂ及び５Ｃのうちのいずれか１つに切り替えることができるように構成されている。
【０１４１】
すなわち、図１９の回路によれば、送電用コイル４のインダクタンス及び送電用コンデンサ５Ａのキャパシタンスにより直列共振周波数ＦＤ１を具備するように設定された送電コイルユニットと、送電用コイル４のインダクタンス及び送電用コンデンサ５Ｂのキャパシタンスにより直列共振周波数ＦＤ２を具備するように設定された送電コイルユニットと、送電用コイル４のインダクタンス及び送電用コンデンサ５Ｃのキャパシタンスにより直列共振周波数ＦＤ３を具備するように設定された送電コイルユニットと、の３つの送電コイルユニットの中から、電源装置２１の制御に応じた１つの送電コイルユニットに切り替えて送電を行うことができる。
【０１４２】
そのため、図１９に示すような回路構成をトロッカー１に適用した場合であっても、図１７の一連の制御を略同様に適用することができる。具体的には、例えば、出力レベルＰＬ及び周波数ＦＤ１を具備する交流電力をトロッカー１へ出力した際の反射レベルと、出力レベルＰＬ及び周波数ＦＤ２を具備する交流電力をトロッカー１へ出力した際の反射レベルと、出力レベルＰＬ及び周波数ＦＤ３を具備する交流電力をトロッカー１へ出力した際の反射レベルと、がそれぞれ計測され、さらに、最も低い反射レベルの周波数でバイポーラ電気メス１１の駆動に要する交流電力が供給されるようにすることより、図１７の一連の制御を適用することができる。
【０１４３】
なお、以上に述べた各実施例によれば、電気的に直列に接続されたコイル及びコンデンサを具備するコイルユニットを直列共振させるように構成したものに限らず、電気的に並列に接続されたコイル及びコンデンサを具備するコイルユニットを並列共振させるように構成してもよい。図２０は、並列共振可能な送電コイルユニットをトロッカー内に設けた場合の構成の一例を示す図である。図２１は、並列共振可能な受電コイルユニットをバイポーラ電気メス内に設けた場合の構成の一例を示す図である。
【０１４４】
具体的には、例えば、図２０のトロッカー３０１として示すように、送電用コイル４及び送電用コンデンサ５が電気端子３Ａに対して電気的に並列になるように接続され、さらに、送電用コイル４のインダクタンス及び送電用コンデンサ５のキャパシタンスが、バイポーラ電気メス１１等に内蔵された受電コイルユニットの共振周波数に一致する所定の並列共振周波数を具備するようにそれぞれ設定された送電コイルユニットをトロッカー内に設けてもよい。
【０１４５】
また、例えば、図２１のバイポーラ電気メス３１１として示すように、受電用コイル１７及び受電用コンデンサ１９が変換回路１８に対して電気的に並列になるように接続され、さらに、受電用コイル１７のインダクタンス及び受電用コンデンサ１９のキャパシタンスが、トロッカー１等に内蔵された送電コイルユニットの共振周波数に一致する所定の並列共振周波数を具備するようにそれぞれ設定された受電コイルユニットをバイポーラ電気メス内に設けてもよい。
【０１４６】
さらに、送電コイルユニット、受電コイルユニット及び中継コイルユニットの各コイルユニットにおいて、直列共振で共振するように構成されたコイルユニットと、並列共振で共振するように構成されたコイルユニットと、が併用されてもよい。
【０１４７】
具体的には、例えば、直列共振で共振するように構成された送電コイルユニットを具備するトロッカー１と、並列共振で共振するように構成された受電コイルユニットを具備するバイポーラ電気メス３１１と、が併用されてもよい。
【０１４８】
また、以上に述べた各実施例の送電用コイル（または送電コイルユニット）は、バイポーラ電気メス等の医療機器による処置対象の被験者の近傍に配置可能な限りにおいては、トロッカー内に設けられていてもよく、当該被験者の側面に設けられていてもよく、または、当該被験者を横臥可能なベッドの内部に設けられていてもよい。
【０１４９】
また、以上に述べた各実施例の受電用コイル（または受電コイルユニット）は、トロッカーに挿入して使用される（バイポーラ電気メス等の）筒状の医療機器の内部に設けられていてもよく、または、被検体の体腔内に留置される医療機器の内部に設けられていてもよい。
【０１５０】
また、以上に述べた各実施例においては、例えば、受電コイルユニットを具備する医療機器内にバッテリ等の蓄電装置を設けることにより、当該受電コイルユニットにおいて受電された電力を当該蓄電装置に蓄えた後で、当該医療機器の使用状況に応じた電力が当該蓄電装置から供給されるようにしてもよい。
【０１５１】
また、以上に述べた各実施例においては、バイポーラ電気メスの受電コイルユニットにおいて受電された電力が、変換回路を介さずに、処置用電極へ直接供給されるように構成してもよい。
【０１５２】
また、以上に述べた各実施例においては、電源装置、トロッカー、または、バイポーラ電気メスの変換回路のいずれかにインピーダンスマッチング回路が設けられていてもよい。そして、このような構成によれば、例えば、送電用コイルと受電用コイルとの間の位置及び姿勢の変化、または、受電コイルユニットを具備する医療機器における負荷状態の変化等に応じてインピーダンスマッチング回路を制御することにより、磁界共鳴現象を利用して給電を行う際の伝送効率を最適化することができる。
【０１５３】
なお、本発明は、上述した各実施例に限定されるものではなく、発明の趣旨を逸脱しない範囲内において種々の変更や応用が可能であることは勿論である。
【符号の説明】
【０１５４】
１  トロッカー
２  挿入孔
３  接続端子部
３Ａ  電気端子
４  送電用コイル
５  送電用コンデンサ
１１  バイポーラ電気メス
１２  処置用電極
１３  挿入部
１４  操作部
１５  外筒部
１６  内筒部
１７  受電用コイル
１８  変換回路
１９  受電用コンデンサ
２１  電源装置
２１Ａ  制御部
２１Ｂ  表示部
２２  フットスイッチ
２３  信号ケーブル
２４    送電ケーブル
２０１  医療用無線給電システム
【先行技術文献】
【特許文献】
【０１５５】
【特許文献１】日本国特開平１１−１２８２４２号公報
【図１Ａ】
2014007898.tif 000003
【図１Ｂ】
2014007898.tif 000004
【図２】
2014007898.tif 000005
【図３】
2014007898.tif 000006
【図４】
2014007898.tif 000007
【図５】
2014007898.tif 000008
【図６】
2014007898.tif 000009
【図７】
2014007898.tif 000010
【図８】
2014007898.tif 000011
【図９】
2014007898.tif 000012
【図１０】
2014007898.tif 000013
【図１１】
2014007898.tif 000014
【図１２】
2014007898.tif 000015
【図１３】
2014007898.tif 000016
【図１４】
2014007898.tif 000017
【図１５】
2014007898.tif 000018
【図１６】
2014007898.tif 000019
【図１７】
2014007898.tif 000020
【図１８Ａ】
2014007898.tif 000021
【図１８Ｂ】
2014007898.tif 000022
【図１９】
2014007898.tif 000023
【図２０】
2014007898.tif 000024
【図２１】
2014007898.tif 000025